(57)【要約】【課題】グリップを周方向のどの位置で把持しても握りの感触が一定となり、しかも柔らかい感触で把持できるとともに、筆記具を回して筆記しても違和感が生じないグリップを有した筆記具に適用できる。【解決手段】軸筒８の把持部８Ａにグリップを有した筆記具であって、前記グリップを、軟質材からなる内グリップ６と、内グリップ６に被覆される軟質材からなる外グリップ７との二層構造で構成する。更に、前記内グリップ６の筒部６Ａに複数の貫通孔６Ｂを構成し、かつ、貫通孔６Ｂを周方向に略等間隔に形成する。【選択図】図１
2012153031.tif 000002
【特許請求の範囲】
【請求項１】
軸筒の把持部にグリップを有した筆記具であって、前記グリップを、軟質材からなる内グリップと、内グリップに被覆される軟質材からなる外グリップとの二層構造で構成し、前記内グリップの筒部に複数の貫通孔を構成し、かつ、貫通孔を周方向に略等間隔に形成したことを特徴とするグリップを有した筆記具。
【発明の詳細な説明】
【技術分野】
【０００１】
本発明は、軸筒の把持部に設けられたグリップを、軟質材からなる内グリップと、内グリップの外側に被覆した外グリップの二層構造で構成したグリップを有した筆記具に関するものである。
【背景技術】
【０００２】
従来、軸筒の把持部に設けられたグリップを、軸筒の把持部の表面色と異なる色で軟質材からなる内グリップと、該内グリップに被覆した透明性を有する軟質材からなる外グリップの二層構造とし、前記内グリップの筒部に形成した貫通孔より前記軸筒の把持部の表面色を視認可能としたグリップを有した筆記具が知られている。（特許文献１参照）
【０００３】
しかしながら、上記グリップを有した筆記具は、内グリップの側面に形成した貫通孔が周方向に略等間隔に形成したものではなく、グリップを把持する位置によって感触が異なり使用者にとって違和感を感じてしまうものであった。
【先行技術文献】
【特許文献】
【０００４】
【特許文献１】特開２００８−２３０１８０号公報
【発明の概要】
【発明が解決しようとする課題】
【０００５】
解決しようとする問題点は、グリップを把持する位置によって、握りの感触が異なり使用者にとって違和感を感じてしまう点である。
【課題を解決するための手段】
【０００６】
本発明は、軸筒の把持部にグリップを有した筆記具であって、前記グリップを、軟質材からなる内グリップと、内グリップに被覆される軟質材からなる外グリップとの二層構造で構成し、前記内グリップの筒部に複数の貫通孔を構成し、かつ、貫通孔を周方向に略等間隔に形成したことを最も主要な特徴とする。
【発明の効果】
【０００７】
本発明は、グリップを周方向のどの位置で把持しても握りの感触が一定で、しかも柔らかい感触で把持できる利点が得られるものである。
【図面の簡単な説明】
【０００８】
【図１】図１は、本発明の実施例１のグリップを有した筆記具を示す主要部部分断面図である。（実施例１）
【図２】図２は、図１のグリップを有した筆記具を示す主要部断面図である。（実施例１）
【図３】図３は、図１の内グリップを示す展開図である。（実施例１）
【図４】図４は、本発明の実施例２の内グリップを示す展開図である。（実施例２）
【図５】図５は、本発明の実施例３の内グリップを示す展開図である。（実施例３）
【図６】図６は、本発明の実施例４の内グリップを示す展開図である。（実施例４）
【発明を実施するための形態】
【０００９】
周方向のどの位置で把持しても握りの感触が一定で、しかも柔らかい感触で把持できるグリップを有した筆記具を実現した。
【実施例１】
【００１０】
以下、図１、図２及び図３に基づいて本発明における実施例１のグリップを有した筆記具を説明する。尚、筆記具としてはノック式シャープペンシルで説明する。また、図１の左側を前方とし、右側を後方とする。先ず、チャック１の頭部１Ａを複数に分割して拡開可能に形成し、この頭部１Ａにテーパー面を形成する。前記チャック１の頭部１Ａに締具２を外嵌し、チャック１の後部１Ｂにパイプ状の芯タンク３を圧入固着する。また、締具２を受け止めるワッシャー４と芯タンク３の間にスプリング５を張架し、チャック１のテーパー面が締具２に押圧され機構部が構成される。
【００１１】
また、ゴム硬度１０程度のシリコンゴム等の軟質材で内グリップ６を構成し、この内グリップ６の筒部６Ａに周方向に３個以上の貫通孔６Ｂを略等間隔に形成する。好ましくは、貫通孔６Ｂは周方向と長手方向にそれぞれ４ｍｍ〜６ｍｍ程度の等間隔で外径２．５ｍｍ程度の円形状に複数形成する。また、外グリップ７は透明性を有するゴム硬度３０程度のシリコンゴム等の軟質材で構成する。
【００１２】
更に、軸筒８の把持部８Ａは細径に形成され、この把持部８Ａより長手方向後方に段部８Ｂを形成するとともに、段部８Ｂの後方に太径部８Ｃを構成する。この軸筒８の把持部８Ａに内グリップ６を外嵌し、更に、内グリップ６及び軸筒８の段部８Ｂに外グリップ７を外嵌し、軸筒８と外グリップ７により内グリップ６の貫通孔６Ｂを密閉する。
【００１３】
次に、軸筒８の前方より前記機構部を挿入した後、軸筒８に先部材９を螺合し、先部材９の内段９Ａと軸筒８の前端でワッシャー４を挾持する。また、先部材９の後端と軸筒８の段部８Ｂとにより内グリップ６を挾持するとともに、先部材９の後端と軸筒８の太径部８Ｃ前端とにより外グリップ７を挾持する。
【００１４】
このグリップを有した筆記具で筆記を行う場合には、外グリップ７を把持して筆記を行うが、外グリップ７のどの位置を把持しても握りの感触が同じで、しかも、柔らかい感触で筆記を行うことができる。また、ノック式シャープペンシルのように、芯１０の片減りとともに回して筆記を行った場合でも、同じ感触で把持して筆記を行うことができる。しかも、手で把持した時の押圧力は、内グリップ６の貫通孔６Ｂ内に溜まった空気が軸筒８の把持部８Ａ表面と外グリップ７によって密閉されるので、適度の弾力を有して内グリップ６の貫通孔６Ｂが変形される。
【実施例２】
【００１５】
以下、図４に基づいて本発明における実施例２の内グリップ１６を説明する。シリコンゴム等の軟質材で内グリップ１６を構成し、この内グリップ１６の筒部１６Ａに周方向に３個以上の貫通孔１６Ｂを略等間隔に形成する。好ましくは、貫通孔１６Ｂは周方向及び長手方向に整列させて４ｍｍ〜６ｍｍ程度の等間隔で外径２．５ｍｍ程度の円形状に複数形成する。
【実施例３】
【００１６】
以下、図５に基づいて本発明における実施例３の内グリップ２６を説明する。シリコンゴム等の軟質材で内グリップ２６を構成し、この内グリップ２６の筒部２６Ａに周方向に３個以上の貫通孔２６Ｂを略等間隔に形成する。好ましくは、貫通孔２６Ｂは周方向及び長手方向に整列させて４ｍｍ〜６ｍｍ程度の等間隔で一辺が２．５ｍｍ程度の正方形状に複数形成する。
【実施例４】
【００１７】
以下、図６に基づいて本発明における実施例４の内グリップ３６を説明する。シリコンゴム等の軟質材で内グリップ３６を構成し、この内グリップ３６の筒部３６Ａに周方向に３個以上の貫通孔３６Ｂを略等間隔に形成する。好ましくは、貫通孔３６Ｂは周方向及び長手方向に整列させて４ｍｍ〜６ｍｍ程度の等間隔でかつ短辺が２ｍｍ程度で長辺が４ｍｍ程度の長方形状に複数形成する。
【００１８】
尚、本発明のグリップを有した筆記具は、ノック式シャープペンシルに限定されるものではなく、ボールペン等種々の筆記具に利用できるものである。
【００１９】
また、内グリップと外グリップの硬さは、必ずしも内グリップの方を柔らかくする必要はなく、内グリップと外グリップの硬さを同じにしたり、内グリップを外グリップより硬く構成することも考えられる。更に、軸筒と内グリップを異なる色で構成するとともに、外グリップを透明性を有して構成すれば、内グリップの貫通孔が模様として表現でき、外観を向上させることができる。更に、外グリップは、両端あるいは中間部を太径に構成したり、表面に凹凸を構成しても良い。
【産業上の利用可能性】
【００２０】
グリップを周方向のどの位置で把持しても握りの感触が一定となり、しかも柔らかい感触で把持できるとともに、筆記具を回して筆記しても違和感が生じないグリップを有した筆記具に適用できる。
【符号の説明】
【００２１】
６    内グリップ
６Ａ    内グリップ６の筒部
６Ｂ    内グリップ６の貫通孔  １６    内グリップ
７    外グリップ
８    軸筒
８Ａ    軸筒８の把持部
１６Ａ    内グリップ１６の筒部
１６Ｂ    内グリップ１６の貫通孔
２６    内グリップ
２６Ａ    内グリップ２６の筒部
２６Ｂ    内グリップ２６の貫通孔
３６    内グリップ
３６Ａ    内グリップ３６の筒部
３６Ｂ    内グリップ３６の貫通孔
【図１】
2012153031.tif 000003
【図２】
2012153031.tif 000004
【図３】
2012153031.tif 000005
【図４】
2012153031.tif 000006
【図５】
2012153031.tif 000007
【図６】
2012153031.tif 000008